(57)【要約】【課題】  占有する空間を小さく抑えながら電子写真感光体を保護する。【解決手段】  電子写真感光体１００の保護用治具１を、保護用治具１の一端に設けられ電子写真感光体１００の端部に嵌合する嵌合部８と、嵌合部８を電子写真感光体１００の端部に嵌合させた場合に電子写真感光体１００の外周面よりも径方向外側へ張り出す外周面５Ｐを有する基部２とを備えて構成する。【選択図】        図１
2006154497.tif 000002
【特許請求の範囲】
【請求項１】
電子写真感光体の保護用治具であって、
該保護用治具の一端に設けられ、前記電子写真感光体の端部に嵌合する嵌合部と、
該嵌合部を前記電子写真感光体の端部に嵌合させた場合に前記電子写真感光体の外周面よりも径方向外側へ張り出す外周面を有する基部とを備えることを特徴とする、電子写真感光体の保護用治具。
【請求項２】
該基部の外周面が、該嵌合部を前記電子写真感光体の端部に嵌合させた場合に、全周において前記電子写真感光体の外周面よりも径方向外側へ張り出すことを特徴とする、請求項１記載の電子写真感光体の保護用治具。
【請求項３】
該基部の外周面が、該嵌合部を前記電子写真感光体の端部に嵌合させた場合に前記電子写真感光体と同じ軸心を有する円形外周面であることを特徴とする、請求項１又は２記載の電子写真感光体の保護用治具。
【請求項４】
前記電子写真感光体が、外側に開放された中空部を端部に有し、
該嵌合部が、前記電子写真感光体の中空部に挿入される内嵌部を備えることを特徴とする、請求項１〜３のいずれか１項に記載の電子写真感光体の保護用治具。
【請求項５】
該保護用治具の他端に形成された把持部と、
該内嵌部に形成され、該把持部を把持することにより拡径して、前記中空部の内周に圧接しうる支持部とを備えることを特徴とする、請求項４記載の電子写真感光体の保護用治具。
【請求項６】
該嵌合部が、電子写真感光体の外周に外嵌する外嵌部を備えることを特徴とする、請求項１〜３のいずれか１項に記載の電子写真感光体の保護用治具。
【請求項７】
該保護用治具の他端に形成された把持部と、
該外嵌部に形成され、前記電子写真感光体の外周に圧接でき、該把持部を把持することにより弾性変形して拡径し前記電子写真感光体の外周を開放しうる支持部とを備えることを特徴とする、請求項６記載の電子写真感光体の保護用治具。
【請求項８】
該基部を支点とし、該把持部を力点とし、該支持部を作用点とするテコが構成されることを特徴とする、請求項５又は７記載の電子写真感光体の保護用治具。
【発明の詳細な説明】
【技術分野】
【０００１】
本発明は、電子写真感光体の輸送、運搬、保存等の際に用いる治具に関し、特に、電子写真感光体の運搬時に占有する空間を小さくすることができる治具に関するものである。
【背景技術】
【０００２】
一般に、複写機、プリンター、印刷機などの画像形成装置においては、電子写真感光体（以下適宜、単に「感光体」という）が用いられている。この感光体は、通常、円筒形状の感光体ドラムの外周表面に感光層を形成したものとして構成される。
感光体を運搬する際に、その表面に傷がつくと、形成される画像の品質が低下する。このため、運搬時に感光体を保護するための様々な技術が提案されている。
【０００３】
例えば、感光体を運搬する際には、その表面が傷つくことを防止するためにビニル等の保護材で感光体を覆い、ダンボール紙やプラスチック製の容器に収納して運搬することが広く行なわれてきた。しかし、保護材で覆って運搬する場合には、運搬途中で保護材と感光体表面とがこすれることにより感光体表面が帯電し、形成される画像に欠陥などを生じることがあった。また、感光体表面に形成された傷は、例えそれが微小なものであっても画像品質低下の原因となる一方、保護材自体が感光体表面を傷付ける可能性も否定できない。
【０００４】
そこで、保護材によらず感光体を保護しながら運搬するための技術として、特許文献１のような運搬用トレイを用いる方法が提案されている。このような運搬用トレイは、感光体の両端部を把持して感光体の中間部を空中に浮かせた状態に保ちつつ、感光体の周囲をカバーで囲うことにより感光体を保護している。通常は、一つの運搬用トレイに複数本の感光体を搭載できるようになっていて、この運搬用トレイを積み重ねて運搬することにより、多数の感光体を一度に運搬することができる。
【０００５】
【特許文献１】特開２００２−１８９３２１号公報
【発明の開示】
【発明が解決しようとする課題】
【０００６】
しかしながら、特許文献１に記載されているような運搬用トレイを用いて感光体を運搬する場合、大きな空間を占有することになるため、運搬コストの上昇を招いていた。
本発明は上記の課題に鑑みて創案されたもので、占有する空間を小さく抑えながら電子写真感光体を保護することができる、保護用治具を提供することを目的とする。
【課題を解決するための手段】
【０００７】
本発明の発明者は、上記課題を解決するべく鋭意検討した結果、電子写真感光体の端部に嵌合する嵌合部と、嵌合部を端部に嵌合した場合に電子写真感光体の外周面よりも径方向外側へ張り出す外周面を有する基部とを備える治具を用いることにより、占有する空間を小さく抑えながら電子写真感光体を保護することができることを見出し、本発明を完成させた。
【０００８】
即ち、本発明の要旨は、電子写真感光体の保護用治具であって、該保護用治具の一端に設けられ、前記電子写真感光体の端部に嵌合する嵌合部と、該嵌合部を前記電子写真感光体の端部に嵌合させた場合に前記電子写真感光体の外周面よりも径方向外側へ張り出す外周面を有する基部とを備えることを特徴とする、電子写真感光体の保護用治具に存する（請求項１）。この保護用治具を用いることにより、運搬時に占有する空間を小さく抑えながら電子写真感光体を保護することができる。
【０００９】
また、該基部の外周面は、該嵌合部を前記電子写真感光体の端部に嵌合させた場合に、全周において前記電子写真感光体の外周面よりも径方向外側へ張り出すことが好ましい（請求項２）。これにより、電子写真感光体をより確実に保護することができる。
【００１０】
さらに、該基部の外周面は、該嵌合部を前記電子写真感光体の端部に嵌合させた場合に前記電子写真感光体と同じ軸心を有する円形外周面であることが好ましい（請求項３）。これにより、基部の外周面から電子写真感光体の外周面までの距離が一定に保たれるので、保護用治具が周方向に回転した場合でも電子写真感光体に振動や衝撃を与える虞がなく、電子写真感光体をより安定して保護することが可能となる。
【００１１】
また、前記電子写真感光体が、外側に開放された中空部を端部に有し、該嵌合部が、前記電子写真感光体の中空部に挿入される内嵌部を備えることが好ましい（請求項４）。これにより、該内嵌部を前記電子写真感光体の中空部に内嵌することで、該保護用治具によって確実に前記電子写真感光体を保護することができる。
【００１２】
また、該保護用治具は、該保護用治具の他端に形成された把持部と、該内嵌部に形成され、該把持部を把持することにより拡径して、前記中空部の内周に圧接しうる支持部とを備えることが好ましい（請求項５）。これにより、把持部を把持することにより、電子写真感光体を直接触れることなく取り扱うことができるため、電子写真感光体の取り扱い性を向上させることができる。
【００１３】
また、該嵌合部が、電子写真感光体の外周に外嵌する外嵌部を備えていても好ましい（請求項６）。これにより、該外嵌部を前記電子写真感光体の端部に外嵌することで、該保護用治具によって確実に前記電子写真感光体を保護することができる。
【００１４】
また、該保護用治具は、該保護用治具の他端に形成された把持部と、該外嵌部に形成され、前記電子写真感光体の外周に圧接でき、該把持部を把持することにより弾性変形して拡径し前記電子写真感光体の外周を開放しうる支持部とを備えることが好ましい（請求項７）。これによっても、把持部を把持することにより、電子写真感光体を直接触れることなく取り扱うことができるため、電子写真感光体の取り扱い性を向上させることができる。
【００１５】
さらに、該保護用治具は、該基部を支点とし、該把持部を力点とし、該支持部を作用点とするテコが構成されるようにすることが好ましい（請求項８）。これにより、該保護用治具の該把持部を把持し縮径させることで該支持部を拡径させることができようになり、簡単な構成により、電子写真感光体を直接触れることなく取り扱うことができる。
【発明の効果】
【００１６】
本発明の電子写真感光体の保護用治具によれば、占有する空間を小さく抑えながら電子写真感光体を保護することができる。
【発明を実施するための最良の形態】
【００１７】
以下、本発明の実施形態について、図面を用いて詳細に説明するが、本発明は以下の実施形態に限定されるものではなく、任意に変形して実施することができる。なお、以下の説明において、電子写真感光体を適宜「感光体」をいい、電子写真感光体の保護用治具を適宜、単に「治具」という。
【００１８】
［Ｉ．第１実施形態］
図１〜図７は本発明の第１実施形態を表すものである。図１は感光体の一端に装着される治具を示す図であり、（ａ）は治具を軸を含む平面で切った断面図、（ｂ）は治具の平面図である。また、図２は図１に示す治具の把持部を把持した状態を示すもので、治具を軸を含む平面で切った断面図である。さらに、図３は感光体の他端に装着される治具を軸を含む平面で切った断面図である。また、図４は治具を装着した状態の感光体を示すもので、（ａ）はその正面図であり、（ｂ）は感光体を側方から見た場合の、感光体及び治具の外周面を表す図である。また、図５は治具及びカバーシートを装着した状態の感光体を表す正面図である。また、図６は治具を装着した感光体を容器内に縦置きで収納する場合を説明する図である。さらに、図７は感光体を軸を含む平面で切った断面図である。
【００１９】
まず、治具を装着する対象である感光体１００について説明する。感光体１００は、感光体用基体と感光層とを備えたものであれば他に制限は無いが、ここでは、図７に示すように、感光体ドラム１０１、フランジ１０２、及びギア１０３から構成されたものを例として説明する。
【００２０】
感光体ドラム１０１は感光体１００の基体となるもので、内部に中空部１０１Ｘを有する円筒形状のパイプにより形成されている。感光体ドラム１０１は感光体用基体に用いられる任意の材料で形成することができるが、ここではアルミニウム製のパイプとして形成されているものとする。また、感光体ドラム１０１の外周面には、その全面にわたって感光層（図示省略）が形成されている。
【００２１】
フランジ１０２は、感光体ドラム１０１の一端（図中右側端）に嵌入されているもので、内嵌部１０４と、フランジ部１０５と、軸受部１０６とから形成されている。
内嵌部１０４は、感光体ドラム１０１の一端内側に嵌め込まれ、接着された、外径を感光体ドラム１０１の内径以下に形成された円筒形状部分である。
また、フランジ部１０５は、フランジ１０２が感光体ドラム１０１内に入り込んでしまうことを防止するため、その外径を感光体ドラム１０１の内径よりも大きく形成された円板部材である。なお、ここでは、フランジ部１０５の外径は感光体ドラム１０１の外径と等しくなるように形成されているとする。
【００２２】
さらに、軸受部１０６は内部に軸受け用の中空部１０６Ｘが形成された円筒形状の部分であり、その中空部１０６Ｘはフランジ１０２の内端側及び外端側に開放されている。なお、中空部１０６Ｘはフランジ１０２の中央に、感光体ドラム１０１の軸方向に沿って形成されている。このため、フランジ１０２側に装着する治具１（以下適宜、「第１治具」という）を中空部１０６Ｘに挿入した場合、感光体１００の軸心と第１治具１との軸心は一致するようになっている。
【００２３】
一方、ギア１０３は感光体ドラム１０１の他端（図中左側端）に嵌入されているもので、内嵌部１０４′と、ギア部１０７と、軸受部１０６′とから構成されている。内嵌部１０４′は、感光体ドラム１０１の他端内側に嵌め込まれ、接着されている。また、ギア部１０７は、外周をギア形状に形成され、また、外径を感光体ドラム１０１の外径に等しくなるように形成されている。さらに、軸受部１０６′は、軸受部１０６と同様に、内部に軸受け用の中空部１０６Ｘ′が形成された円筒形状の部分であり、その内径（即ち、中空部１０６Ｘ′の径）及び外径が、フランジ１０２の軸受部１０６よりも大きく形成されている。なお、フランジ１０２と同様、中空部１０６Ｘ′はギア１０３の中央に、感光体ドラム１０１の軸方向に沿って形成されている。このため、ギア１０３側に装着する治具１１（以下適宜、「第２治具」という）を中空部１０６Ｘ′に挿入した場合、感光体１００の軸心と第２治具１１との軸心は一致するようになっている。
【００２４】
本実施形態で説明する治具は、以上のように構成された感光体１００の運搬に用いられるものである。以下、治具の説明をする。
図１（ａ）に示すように、感光体１００の一端（具体的には、フランジ１０２の軸受部１０６）に装着される第１治具１は、例えば可撓性のある樹脂を金型成型することで一体に形成した基部２及びテコ部３から構成されている。なお、本実施形態ではテコ部３を３個備えた例を示し、各テコ部３は全く同じ形状であるとする。
【００２５】
基部２は、第１治具１を感光体１００に装着した場合に、感光体１００表面に他の物体が当たらない状態に感光体１００を保持するためのフランジ部分であり、蓋部４と、外周壁部５とから構成されている。
蓋部４は、中央に表裏を貫通する孔４Ｈが形成されたドーナツ状の円板である。孔４Ｈにはテコ部３の扇形部６が蓋部４から連続して形成され、したがって、テコ部３は蓋部４の内縁部４Ａにおいて、蓋部４に連結されている。また、後で詳細に説明するが、テコ部３は、孔４Ｈを貫通し、蓋部４の内縁部４Ａを支点として機能するテコとして構成されている。
【００２６】
さらに、蓋部４の外径は、感光体１００の外径（本実施形態では、感光体ドラム１０１の外径）よりも大きく形成されている。詳しくは、蓋部４の外径と感光体１００の外径との差が、感光体１００を確実に保護することができる程度に大きく確保できるよう、装着する感光体１００の寸法に応じて形成されている。
【００２７】
外周壁部５は、蓋部４の外縁部４Ｂから内端側（図中左側）に延在して形成された壁部である。円板である蓋部４の外延部４Ｂから延在して形成されているため、外周壁部５は内部に中空部５Ｘが形成された円筒形となっている。なお、中空部５Ｘは、内端側は外部に開放されている。一方、外端側（図中右側）は蓋部４及び扇形部６によって覆われていて、このため、感光体１００内に異物が進入しにくくなっている。
【００２８】
また、外周壁部５が円筒形であるため、その外周面５Ｐは円形外周面となっている。さらに、上記のように蓋部４の外径が感光体１００の外径よりも大きく形成されているため、基部２の外周面である壁部５の外周面５Ｐは、後述する支柱部８を感光体１００の中空部１０６Ｘに挿入した場合に、その全周において感光体１００の外周面よりも径方向外側へ張り出すようになっている。
【００２９】
テコ部３は、扇形部６と、把持部７と、支柱部８とから形成されている。
図１（ｂ）に示すように、扇形部６は、蓋部４と平行に、蓋部４から連続して形成された板状部であって、扇形に形成された板材になっている。したがって、扇形部６は、外縁部６Ｂを蓋部４の内縁部４Ａに接続されることになり、これにより、蓋部４とテコ部３とは連結されている。なお、蓋部４と扇形部６とは同じ板部材の各部分をそれぞれ表すものと捉えることもできる｛図１（ａ）参照｝。
【００３０】
さらに、扇形部６の内縁部６Ａは、内縁部６Ａから軸方向内端側へ延在する支柱部８がフランジ１０２の軸受部１０６の中空部１０６Ｘに挿入することができるよう、第１治具１の軸心からの距離が軸受部１０６の内径よりも小さくなるように形成されている。
また、本実施形態においては第１治具１はテコ部３を３個備えており、したがって、扇形部６も３個形成される。ただし、これらの各扇形部６は互いに接触しないように、互いに空隙を空けるよう、その配置及び寸法を設定されている。
【００３１】
把持部７は、扇形部６の外縁部６Ｂから外端側に向かって延在して形成されている部分である。この把持部７は、テコ部３の力点を有している。即ち、把持部７に径方向外側から力を加えた場合、その力を加えた点が、テコ部３の力点となるのである。なお、本実施形態では、把持部７は支柱部８よりも短く形成されているものとする。また、各扇形部６同士が空隙を空けて形成されていることから、各把持部７同士の間にも空隙が形成される。
【００３２】
支柱部８は、扇形部６の内縁部６Ａから内端側に向かって延在して形成されている部分であり、感光体１００のフランジ１０２の中空部１０６Ｘに挿入される内嵌部（嵌合部）として機能する。なお、支柱部８の内端８Ａは、径方向内側に傾斜して形成されていて、これにより、支柱部８をフランジ１０１の軸受部１０６内の中空部１０６Ｘに簡単に挿入できるようになっている。また、各扇形部６同士が空隙を空けて形成されていることから、各支柱部８同士の間にも空隙が形成される。
【００３３】
さらに、各支柱部８は、基部２の軸心からの距離が等しくなるように形成されている。したがって、支柱部８を感光体１００の中空部１０６Ｘに挿入した場合、基部２の外周面である外周壁部５の外周面５Ｐは、感光体１００の外周面と同じ軸心を有する。
【００３４】
また、支柱部８は、テコ部３の作用点を有している。即ち、把持部７に径方向外側から力を加えた場合、後述するように支柱部８は径方向外側に傾斜するように動いていくが、傾斜して支柱部８が他の部材に当たった場合（例えば、感光体１００の軸受部１０６の内周面にあたった場合）に、その他の部材に当たった点が、テコ部３の作用点となるのである。
【００３５】
さらに、支柱部８は、その軸方向の長さが、第１治具１をフランジ１０１の軸受部１０６に確実に保持できるよう十分に長く形成されている。また、支柱部８は、フランジ１０２の軸受部１０６の中空部１０６Ｘに挿入することができるよう、その径方向の大きさを軸受部１０６の内径よりも小さく形成されている。
【００３６】
ここで、テコ部３がテコとして機能する仕組みを、図２を用いて、その動作と共に説明する。図２は、図１（ａ），（ｂ）で説明した第１治具の把持部７を把持した状態を示す断面図である。この図２に示すように、テコ部３は、基部２に対して蓋部４の内縁部４Ａで連結されている。したがって、基部２を固定した状態で把持部７に対して径方向外側から力が加わると、蓋部４の内縁部４Ａを支点として、支柱部８に径方向外側に向けた力が作用する。これにより、把持部７を径方向外側から把持すると、テコ部３がテコとして機能して、支柱部８は径方向外側に向かって傾斜するように動く。したがって、３本の支柱部８をまとめて支持部９とみなした場合、その支持部９は、把持部７それぞれを径方向外側から把持して縮径させた場合に拡径するように構成されていることとなる。支持部９は、拡径すると感光体１００の内周面１００Ａに圧接するため、支持部９による支持によって、感光体１００は第１治具１をを掴んで移動させることができる。
【００３７】
次に、感光体１００の他端（具体的には、ギア１０７の軸受部１０６′）に装着される第２治具１１について、図３を用いて説明する。
図３に示すように、第２治具１１は、フランジ１０２の代わりにギア１０３に装着されること（図７参照）、軸心から扇形部１６の内縁部１６Ａまでの距離、及び、支柱部１８の径方向の大きさを、第１治具１の軸心から扇形部６の内縁部６Ａまでの距離、及び、支柱部８の径方向の大きさよりも、それぞれ大きく形成されていること以外は、上述した第１治具１と同様に構成されている。
【００３８】
即ち、第２治具１１は、例えば可撓性のある樹脂を金型成型することで一体に形成した基部１２及びテコ部１３から構成されていて、基部１２は、蓋部１４と、外周壁部１５とから形成されている。基部１２は、第１治具１の基部２と同形状となるように形成されているので、ここでは説明を省略する。なお、図３では蓋部１４の内縁部を符号１４Ａで示し、外縁部を１４Ｂで示す。また、蓋部１４中央の孔は符号１４Ｈで示し、外周壁部１５内の中空部は符号１５Ｘで示す。さらに、基部１２の外周面である外周壁部１５の外周面は、符号１５Ｐで示す。
【００３９】
テコ部１３は、第１治具１のテコ部３と同様、扇形部１６と、把持部１７と、支柱部１８とから形成されていて、支柱部１８は３本の支柱部１８をまとめて支持部１９とみなすことができる。
扇形部１６の内縁部１６Ａは、内縁部１６Ａから軸方向内端側へ延在する支柱部１８がギア１０３の軸受部１０６′の中空部１０６Ｘ′に挿入することができるよう、軸心からの距離が軸受部１０６′の内径よりも小さくなるように形成されている。また、支柱部１８は、ギア１０３の軸受部１０６′の中空部１０６Ｘ′に挿入することができるよう、その径方向の大きさを軸受部１０６′の内径よりも小さく形成されている。ここで、ギア１０３の軸受部１０６′の内径は、フランジ１０２の軸受部１０６の内径よりも大きいため、軸心から扇形部１６の内縁部１６Ａまでの距離、及び、支柱部１８の径方向の大きさは、第１治具１の軸心から扇形部６の内縁部６Ａまでの距離、及び、支柱部８の径方向の大きさよりも、それぞれ大きく形成される。以上の、第２治具の軸心から扇形部１６の内縁部１６Ａまでの距離、及び、支柱部１８の径方向の大きさのほかは、テコ部１３は、第１治具１のテコ部３と同形状となるように形成されている。なお、図３において、扇形部１６の外縁部は符号１６Ｂで示し、支柱部１８の内端は符号１８Ａで示す。
【００４０】
本実施形態の第１治具１及び第２治具１１（以下適宜、第１治具１及び第２治具１１を区別せずにいう場合、単に「治具」という）は以上のように構成されている。したがって、治具１，１１の使用時には、図４（ａ）に示すように、感光体１００の軸方向端部に第１治具１及び第２治具１１をそれぞれ装着する。
詳しくは、感光体１００の一端に装着されたフランジ１０２の中空部１０６Ｘに、第１治具１の３本の支柱部８（即ち、支持部９）を挿入する｛図１（ａ）参照｝。支柱部８の径方向の大きさが軸受部１０６の内径よりも小さく形成されているため、第１治具１は軸受部１０６の内面に対してごく小さな遊びを有しており、このため、第１治具１は軸受部１０６に対して軸方向に自由に移動できるようになっている。なお、前記の遊びはごく小さなものになるようになっており、したがって、外周壁部５の外周面５Ｐは、感光体１００の外周面と実質的に同じ軸心を有する。ここで、実質的に同じ軸心を有するとは、保護用治具が周方向に回転した場合でも電子写真感光体に振動や衝撃を与える程度に同じ軸心を有することをいう。
【００４１】
一方、感光体１００の他端に装着されたギア１０３の中空部１０６Ｘ′には、第２治具１１の３本の支柱部１８（即ち、支持部１９）を挿入する（図３参照）。第１基部１と同様、支柱部１８の径方向の大きさが軸受部１０６′の内径よりも小さく形成されているため、第２治具１１は軸受部１０６′の内面に対してごく小さな遊びを有している。したがって、第２治具１１は軸受部１０６に対して軸方向に自由に移動できるが、第１基部１と同様、外周壁部１５の外周面１５Ｐは、感光体１００の外周面と実質的に同じ軸心を有する。
【００４２】
治具１，１１を感光体１００に装着した状態で、感光体１００を軸方向から見ると、感光体１００の外周面１００Ｐと、第１治具１及び第２治具１１の基部２，１２の縁部（即ち、外周壁部５，１５の外周面５Ｐ，１５Ｐ）との位置関係は、図４（ｂ）のようになる。即ち、支柱部８，１８をそれぞれ感光体１００のフランジ１０２及びギア１０３の中空部１０６，１０６′にそれぞれ挿入した状態では、感光体１００を軸方向から見た感光体１００の外周面１００Ｐが、外周壁部５，１５の外周面５Ｐ，１５Ｐの内側に全て収まる。これは、蓋部４，１４の外径が、蓋部４，１４の外径と感光体１００の外径との差を、感光体１００を確実に保護することができる程度に大きく確保できるように形成されているためである。なお、図４において、図１〜３，７と同じ符号で示す部分は、図１〜３，７と同様のものを表す。
【００４３】
以上のような構成により、感光体１００を平面上に横置きした場合、感光体１００に治具１，１１を装着することで感光体１００を中空に浮いた状態に保つことができ、これにより、感光体１００表面は他の物体が当たらないよう保護されることになる。したがって、運搬や貯蔵時などにおいて、感光体１００表面を保護することができる。また、両端に治具１，１１という占有する空間が小さい治具を装着するだけでよいため、省スペース化を図ることができる。
【００４４】
また、図５に示すように、治具１，１１の外周壁部５，１５の外周面５Ｐ，１５Ｐにカバーシート２０１を巻き、カバーシート２０１によって感光体１００（即ち、感光体ドラム１００、フランジ１０２及びギア１０３）を覆うようにすることで、感光体１００表面をより確実に保護することができる。また、カバーシート２０１自体は極めて薄いものを用いても良いので、カバーシート２０１を巻いた場合であっても省スペース化を図ることができる。なお、カバーシート２０１は治具１，治具１１の外周壁部５，１５の外周面５Ｐ，１５Ｐに、予め装着しておいても良い。
【００４５】
さらに、第１治具１及び第２治具１１を装着した感光体１００を縦置きする場合には、図６に示すように、例えば格子状の枠２０２を有する容器２０３内に縦に収納することもできる。容器２０３の内部は枠２０２によって上方を開放された多数の室に分けられていて、この室それぞれに第１治具１及び第２治具１１を装着した感光体１００を入れることで、容器２０３に感光体１００を収納することができる。
【００４６】
また、縦置きをする場合、上側にくる治具１，１１の把持部７，１７を径方向外側から把持するようにすれば、感光体１００を容易に収納及び取り出しをすることができる。即ち、図１に示すように、第１治具１を上側にして収納する場合を例にすると、把持部７を径方向外側から把持することにより、テコ部３が、蓋部４の内縁部４Ａを支点、径方向外側から力を加えた把持部７上の点を力点とするテコとして作用させることができ、これにより、支柱部８は径方向外側へ傾斜するように動く（図２参照）。このため、３本の支柱部８をまとめて支持部９とみなした場合、支持部９は拡径することとなり、支柱部８はフランジ１０２の軸受部１０６を内側から押さえつけることになるため、フランジ１０２は、軸受部１０６において第１治具１によって内側から支持されることになる。したがって、第１治具１の把持部７を把持し、持ち上げることで、感光体１００を簡単に移動させることができる。なお、支柱部８が軸受部１０６の当たった点が、上記のテコの作用点である。また、第２治具１１を上側にして縦置きする場合も、同様の原理で第２治具１１によってギア１０３を内拡把持できる。ただし、縦置きする場合には、下側に来る治具１，１１は、すきまばめや中間ばめをすることで軸受部１０６，１０６′と支柱部８，１８との間の遊びを無くし、上側の治具１，１１を把持して持ち上げた場合でも下側の治具１，１１が外れないようにすることが望ましい。
【００４７】
このように、感光体１００を縦置きする場合には、第１治具１及び第２治具１１を用いることにより、把持部７，１７を径方向外側から把持するという操作によって、感光体１００のフランジ１０２やギア１０３を径方向内側から支持できるため、感光体１００自体に触れることなく簡単且つ安全に感光体１００を取り扱うことができる。
【００４８】
また、感光体１００を縦置きにして運搬できるようになったことも、大きな利点の一つである。従来、トレイなどを用いて感光体１００を横置きにし、そのトレイを積み重ねて輸送していたときには、縦置きすること自体が困難であり、また、縦置きした場合の感光体１００の取り扱い性も十分でなかった。しかし、治具１，１１を用いて縦置きの状態で保存、運搬などを行なうことにより、感光体１００を縦置きすることができる上、その取り扱い性も向上させることができるようになる。
【００４９】
さらに、従来、感光体１００を運搬用トレイに載せる際には、通常、感光体１００表面を保護するためにカバーで覆うなどの作業を行なうが、そのような場合には、作業コストが高く付いていた。しかし、上記の治具１，１１を用いた場合、カバーシート２０１などは必ずしも必要でなくなるため、感光体１００を取り扱う際の作業コストを抑制することが可能となる。
【００５０】
［II．第２実施形態］
図８〜図１１は本発明の第２実施形態を表すものである。図８は感光体の一端に装着される治具を示す図であり、（ａ）は把持部を把持した状態で治具を軸を含む平面で切った断面図、（ｂ）はその治具の平面図である。また、図９は図８に示す治具を軸を含む平面で切った断面図である。さらに、図１０は把持部を把持した状態で感光体の他端に装着される治具を軸を含む平面で切った断面図である。また、図１１は治具を装着した状態の感光体を示すもので、（ａ）はその正面図であり、（ｂ）は感光体を側方から見た場合の、感光体及び治具の外周面を表す図である。
【００５１】
本実施形態においても、図７を用いて第１実施形態で説明した感光体１００に対し、感光体１００の一端のフランジ１０２に第１治具２１を装着し、感光体１００の他端のギア１０３に第２治具３１を装着するものとして説明を行なう。ただし、フランジ１０２側に装着する第１治具２１、及び、ギア１０３側に装着する第２治具３１を装着した場合、第１治具２１、第２治具３１及び感光体１００の軸心は一致するものとする。
【００５２】
本実施形態で用いる第１治具２１は、図８（ａ）に示すように、例えば可撓性のある樹脂を金型成型することで一体に形成した基部２２及びテコ部２３から構成されている。なお、本実施形態においてもテコ部２３を３個備えた例を示し、各テコ部２３は全く同じ形状であるとする。
【００５３】
基部２２は、第１実施形態で説明した第１治具１の基部２と同様の構成となっている。即ち、基部２２は、第１治具２１を感光体１００に装着した場合に、感光体１００表面に他の物体が当たらない状態に感光体１００を保持するためのフランジ部分であり、蓋部２４と、外周壁部２５とから構成されている。
【００５４】
蓋部２４は、中央に表裏を貫通する孔２４Ｈが形成されたドーナツ状の円板である。孔２４Ｈにはテコ部２３の扇形部２６が蓋部２４から連続して形成され、したがって、テコ部２３は蓋部２４の内縁部２４Ａにおいて、蓋部２４に連結されている。また、後で詳細に説明するが、テコ部２３は、孔２４Ｈを貫通し、蓋部２４の内縁部２４Ａを支点として機能するテコとして構成されている。
【００５５】
さらに、蓋部２４の外径は、感光体１００の外径（本実施形態でも、感光体ドラム１０１の外径）よりも大きく形成されている。詳しくは、蓋部２４の外径と感光体１００の外径との差が、感光体１００を確実に保護することができる程度に大きく確保できるよう、装着する感光体１００の寸法に応じて形成されている。
【００５６】
外周壁部２５は、蓋部２４の外縁部２４Ｂから内端側（図中左側）に延在して形成された壁部である。円板である蓋部２４の外延部２４Ｂから延在して形成されているため、外周壁部２５は内部に中空部２５Ｘが形成された円筒形となっている。なお、中空部２５Ｘは、内端側は外部に開放されている。一方、外端側（図中右側）は蓋部２４及び扇形部２６によって覆われている。
【００５７】
また、外周壁部２５が円筒形であるため、その外周面２５Ｐは円形外周面となっている。さらに、上記のように蓋部２４の外径が感光体１００の外径よりも大きく形成されているため、基部２２の外周面である壁部２５の外周面２５Ｐは、後述する支柱部２８を感光体１００の一端に外嵌した場合に、その全周において感光体１００の外周面よりも径方向外側へ張り出すようになっている。さらに、壁部２５の外周面２５Ｐは、第１治具２１を感光体１００の一端に取り付けた場合に、感光体１００と共通の軸心を有するように構成されている。
【００５８】
次に、テコ部２３を説明する。本実施形態のテコ部２３は、扇形部２６と、把持部２７と、外嵌部（嵌合部）として機能する支柱部２８とから形成されている。
図８（ｂ）に示すように、扇形部２６は、蓋部２４と平行に、蓋部２４から連続して形成された板状部であって、扇形に形成された板材になっている。したがって、扇形部２６は、外縁部２６Ｂを蓋部２４の内縁部２４Ａに接続されることになり、これにより、蓋部２４とテコ部２３とは連結されている。なお、蓋部２４と扇形部２６とは同じ板部材の各部分をそれぞれ表すものと捉えることもできる｛図８（ａ）参照｝。
【００５９】
さらに、扇形部２６の内縁部２６Ａは、内縁部２６Ａから軸方向内端側へ延在する支柱部２８が、フランジ１０２の軸受部１０６に外嵌できるよう、第１治具２１の軸心からの距離が軸受部１０６の外径よりも大きくなるように形成されている。
また、本実施形態においても第１治具２１はテコ部２３を３個備えており、したがって、扇形部２６も３個形成される。ただし、これらの各扇形部２６は互いに接触しないように、互いに空隙を空けるよう、その配置及び寸法を設定されている。
【００６０】
さらに、本実施形態の第１治具２１においては、その支柱部２８が、図９に示すように、外部から何ら力が加えられていない場合に径方向内側に傾斜しており、把持部２７を把持した場合に、径方向外側に傾斜するよう弾性変形するようになっている。また、その傾斜の程度は、第１治具２１の支柱部２８を縦置きした感光体１００の軸受部１０６に外嵌し、第１治具２１を持って感光体１００を持ち上げた場合に、支柱部２８が径方向に弾性変形して軸受部１０６を把持することによって、第１治具２１とともに感光体１００を持ち上げることができる程度に強く設定されている。
【００６１】
把持部２７は、扇形部２６の外縁部２６Ｂから外端側に向かって延在して形成されている部分である。この把持部２７は、テコ部２３の力点を有している。即ち、把持部２７に径方向外側から力を加えた場合、その力を加えた点が、テコ部２３の力点となるのである。なお、各扇形部２６同士が空隙を空けて形成されていることから、各把持部２７同士の間にも空隙が形成される。
【００６２】
支柱部２８は、扇形部２６の内縁部２６Ａから内端側に向かって延在して形成されている部分であり、前記のように、感光体１００の軸受部１０６に外嵌される外嵌部として機能する。なお、各扇形部２６同士が空隙を空けて形成されていることから、各支柱部２８同士の間にも空隙が形成される。
【００６３】
さらに、各支柱部２８は、第１治具２１の軸心と平行にした場合に、基部２２の軸心から各支柱部２８の内周面までの距離が等しくなるように形成されている。したがって、支柱部２８を感光体１００の軸受部１０６に外嵌した場合、基部２２の外周面である外周壁部２５の外周面２５Ｐは、感光体１００の外周面と同じ軸心を有することとなる。
【００６４】
また、支柱部２８は、テコ部２３の作用点を有している。即ち、把持部２７に径方向外側から力を加えた場合、後述するように支柱部２８は径方向外側に傾斜するように動いていくが、傾斜して支柱部２８が他の部材に当たった場合に、その他の部材に当たった点が、テコ部２３の作用点となるのである。
【００６５】
さらに、支柱部２８は、その軸方向の長さが、第１治具２１を感光体１００の軸受部１０６に確実に保持できるよう十分に長く形成されている。また、支柱部２８は、感光体１００の軸受部１０６に外嵌できるよう、その内径（即ち、第１治具２１の軸心から支柱部２８の径方向内側周面までの距離）を、軸受部１０６の外径（即ち、感光体１００の軸心から一端の外周面までの距離）よりも大きく形成されている。
【００６６】
ここで、テコ部２３がテコとして機能する仕組みを、図８，９を用いて、その動作と共に説明する。なお、上記のように、図８は把持部２７を把持した状態の第１治具２１を示し、図９は外部から何ら力を加えていない状態の第１治具２１を示す。
テコ部２３がテコとして機能する仕組みは、上記第１実施形態と同様である。即ち、テコ部２３は、基部２２に対して蓋部２４の内縁部２４Ａで連結されている。したがって、基部２２を固定した状態で把持部２７に対して径方向外側から力が加わると、蓋部２４の内縁部２４Ａを支点として、支柱部２８に径方向外側に向けた力が作用する。これにより、把持部２７を径方向外側から把持すると、テコ部２３がテコとして機能して、支柱部２８は径方向外側に向かって傾斜するように動く。したがって、３本の支柱部２８をまとめて支持部２９とみなした場合、その支持部２９は、把持部２７それぞれを径方向外側から把持して縮径させた場合に拡径するように構成されていることとなる。
【００６７】
また、上述したように、支柱部２８は外部から何ら力が加えられていない場合に径方向内側に傾斜した形状に形成されている。したがって、感光体１００の軸受部１０６に支柱部２８を外嵌させると、各支柱部２８が径方向外側へ向けて弾性変形することになるので、各支柱部２８は軸受部１０６外周面に圧接して、第１治具２１を感光体１００一端に安定して固定することができる。また、把持部２７を把持しテコの原理で支柱部２８を径方向外側へ傾斜させ、支持部２９を拡径させることにより、支柱部２８に取り付けたり取り外したりすることができる。
【００６８】
次に、感光体１００の他端（具体的には、ギア１０７の軸受部１０６′）に装着される第２治具３１について、図１０を用いて説明する。
図１０に示すように、第２治具３１は、フランジ１０２の代わりにギア１０３に装着されること（図７参照）、軸心から扇形部３６の内縁部３６Ａまでの距離、及び、支柱部３８の内径（即ち、第１治具２１の軸心から支柱部３８の径方向内側周面までの径方向の距離）を、第１治具２１の軸心から扇形部２６の内縁部２６Ａまでの距離、及び、支柱部２８の内径よりも、それぞれ大きく形成されていること以外は、上述した第１治具２１と同様に構成されている。
【００６９】
即ち、第２治具３１は、例えば可撓性のある樹脂を金型成型することで一体に形成した基部３２及びテコ部３３から構成されていて、基部３２は、蓋部３４と、外周壁部３５とから形成されている。基部３２は、第１治具２１の基部２２と同形状となるように形成されているので、ここでは説明を省略する。なお、図１０では蓋部３４の内縁部を符号３４Ａで示し、外縁部を３４Ｂで示す。また、蓋部３４中央の孔は符号３４Ｈで示し、外周壁部３５内の中空部は符号３５Ｘで示す。さらに、基部３２の外周面である外周壁部３５の外周面は、符号３５Ｐで示す。
【００７０】
テコ部３３は、第１治具２１のテコ部２３と同様、扇形部３６と、把持部３７と、支柱部３８とから形成されていて、支柱部３８は３本の支柱部３８をまとめて支持部３９とみなすことができる。
扇形部３６の内縁部３６Ａは、内縁部３６Ａから軸方向内端側へ延在する支柱部３８をギア１０３の軸受部１０６′に外嵌できるよう、軸心からの距離が軸受部１０６′の外径よりも大きくなるように形成されている。また、支柱部３８の内径は、ギア１０３の軸受部１０６′に外嵌できるよう、その内径を軸受部１０６′の外径よりも大きく形成されている。ここで、ギア１０３の軸受部１０６′の外径は、フランジ１０２の軸受部１０６の外径よりも大きいため、軸心から扇形部３６の内縁部３６Ａまでの距離、及び、支柱部３８の内径は、第１治具２１の軸心から扇形部２６の内縁部２６Ａまでの距離、及び、支柱部２８の内径よりも、それぞれ大きく形成される。以上の、第２治具の軸心から扇形部３６の内縁部３６Ａまでの距離、及び、支柱部３８の内径のほかは、テコ部３３は、第１治具２１のテコ部２３と同形状となるように形成されている。なお、図１０において、扇形部３６の外縁部は符号３６Ｂで示す。
【００７１】
本実施形態の第１治具２１及び第２治具３１は以上のように構成されている。したがって、治具２１，３１の使用時には、図１１（ａ）に示すように、感光体１００の軸方向端部に第１治具２１及び第２治具３１をそれぞれ装着する。このとき、治具２１，３１を装着した状態では、治具２１，３１の軸心と感光体１００の軸心とは一致する。
詳しくは、第１治具２１の把持部２７を径方向外側から把持し、把持部２７に径方向内側に向けた力を加えることで、第１治具２１の支柱部２８を弾性変形させて径方向外側に傾斜させ、支持部２９を拡径させる。支持部２９を拡径させ、その内径を軸受部１０６の外径よりも大きくさせた状態で、感光体１００の一端に装着されたフランジ１０２の軸受部１０６に、第１治具２１の支持部２９（即ち、支柱部２８）を外嵌させる｛図８（ａ）参照｝。外嵌させた後、把持部２７の把持を開放することで、弾性変形していた支柱部２８が径方向内側に傾斜して、支持部２９は縮径するため、軸受部１０６の外周面に圧接する。このように支持部２９が圧接することにより、第１治具２１は感光体１００の一端に固定される。
【００７２】
一方、感光体１００の他端に装着されたギア１０３の軸受部１０６′には、第１基部２１と同様、把持部３７を把持して支持部３９を拡径させることにより、第２治具３１の３本の支柱部３８（即ち、支持部３９）を外嵌させて、第２治具３１を感光体１００の他端に固定する（図１０参照）。なお、第２治具３１を装着した状態では、第２治具３１と感光体１００との軸心も一致するように構成されているものとする。
【００７３】
治具２１，３１を感光体１００に装着した状態で、感光体１００を軸方向から見ると、感光体１００の外周面１００Ｐと、第１治具２１及び第２治具３１の基部２２，３２の縁部（即ち、外周壁部２５，３５の外周面２５Ｐ，３５Ｐ）との位置関係は、図１１（ｂ）のようになる。即ち、支柱部２８，３８をそれぞれ感光体１００の軸受部１０６，１０６′にそれぞれ外嵌した状態では、感光体１００を軸方向から見た感光体１００の外周面１００Ｐが、外周壁部２５，３５の外周面２５Ｐ，３５Ｐの内側に全て収まる。これは、第１実施形態と同様、蓋部２４，３４の外径が、蓋部２４，３４の外径と感光体１００の外径との差を、感光体１００を確実に保護することができる程度に大きく確保できるように形成されているためである。なお、図１１において、図７〜１０と同じ符号で示す部分は、図７〜１０と同様のものを表す。
【００７４】
以上のような構成により、感光体１００を平面上に横置きした場合、感光体１００に治具２１，３１を装着することで感光体１００を中空に浮いた状態に保つことができ、これにより、感光体１００表面は他の物体が当たらないよう保護されることになる。したがって、運搬や貯蔵時などにおいて、感光体１００表面を保護することができる。また、両端に治具２１，３１という占有する空間が小さい治具を装着するだけでよいため、省スペース化を図ることができる。
【００７５】
また、第１実施形態と同様に、治具２１，３１の外周壁部２５，３５の外周面２５Ｐ，３５Ｐにカバーシート２０１を巻き、カバーシート２０１によって感光体１００（即ち、感光体ドラム１００、フランジ１０２及びギア１０３）を覆うようにすることで、感光体１００表面をより確実に保護することができる（図５参照）。また、カバーシート２０１自体は極めて薄いものを用いても良いので、カバーシート２０１を巻いた場合であっても省スペース化を図ることができる。なお、カバーシート２０１は治具２１，治具３１の外周壁部２５，３５の外周面２５Ｐ，３５Ｐに、予め装着しておいても良い。
【００７６】
さらに、第１実施形態と同様、図６のように、治具２１，３１を装着した感光体１００を縦置きしても良い。
また、本実施形態では、第１治具２１を持つようにすれば、感光体１００を容易に収納及び取り出しをすることができる。即ち、第１治具２１を上側にして収納する場合を例にすると、支持部２９が感光体１００の軸受部１０６外周に圧接できるようになっているため、フランジ１は、軸受部１０６において外側から支持されることになる。したがって、第１治具２１の把持部２７を把持し、持ち上げることで、感光体１００を簡単に移動させることができる。また、第２治具３１を上側にして縦置きする場合も、同様の原理で第２治具３１によってギア１０３を支持できる。
【００７７】
さらに、治具２１，３１を感光体１００から取り外すときは、把持部２７、３７を径方向外側から押圧しながら把持することにより、テコ部２３，３３を、蓋部２４，３４の内縁部２４Ａ，３４Ａを支点、径方向外側から力を加えた把持部２７，３７上の点を力点とするテコとして作用させる。これにより、支柱部２８，３８が径方向外側に弾性的に傾斜することで、支持部２９，３９が弾性変形して拡径し、感光体１００の軸受部１０６，１０６′外周を開放するので、治具２１，３１を感光体１００から取り外すことができる。
【００７８】
このように、感光体１００を縦置きする場合には、第１治具２１及び第２治具３１を用いることにより、把持部２７，３７を径方向外側から把持するという操作によって、感光体１００のフランジ１０２やギア１０３を径方向内側から支持できるため、感光体１００自体に触れることなく簡単且つ安全に感光体１００を取り扱うことができる。
さらに、本実施形態の治具２１，３１によれば、第１実施形態と同様の効果を得ることができる。
【００７９】
［III．その他］
以上、本発明の第１，第２実施形態について詳細に説明したが、上記第１，第２実施形態は本発明の好ましい実施の形態の例であり、本発明はこれらの実施形態を任意に変形して実施することもできる。
例えば、上記の実施形態では感光体ドラム１０１、フランジ１０２のフランジ部１０５、及びギア１０３のギア部１０７の外径が等しく形成されていたが、これらの外径は異なっていても良い。即ち、感光体１００の外径の最も大きい部分の外周面を保護できるように、治具１，１１，２１，３１の基部２，１２，２２，３２の外径を設定することにより、軸方向に異なる外径を有する感光体であっても、治具１，１１，２１，３１を用いて保護することができる。
【００８０】
また、基部２，１２，２２，３２の形状も任意である。上記実施形態では感光体１００と共通の軸を有する円形外周面を有する円板形状に形成したが、例えば外周面を多角形状に形成してもよい。また、その外周面５Ｐ，１５Ｐ，２５Ｐ，３５Ｐが、少なくとも３点以上において感光体１００の外周面よりも径方向外側へ張り出していれば、基部２，１２，２２，３２を、周方向に突起が形成され外周面が断続的に張り出すような形状に形成してもよい。
【００８１】
また、感光体ドラム１０１の両端にフランジ１０２やギア１０３の両方またはいずれか一方が装着されていなくてもよい。さらに、フランジ１０２やギア１０３以外のものが装着されていても、端部に中空部を有するものであればよい。即ち、例えばフランジ１０２やギア１０３が装着されていない場合には、治具１，１１，２１，３１の軸心から扇形部６，１６，２６，３６の内縁部６Ａ，１６Ａ，２６Ａ，３６Ａまでの距離、及び、支柱部８，１８，２８，３８の径方向の大きさを感光体ドラム１０１の内径（即ち、中空部１０１Ｘの径）にあわせて設定することにより、治具１，１１，２１，３１を用いて感光体１００を保護することができるようになる。このように、適宜寸法を設定することにより、治具１，１１，２１，３１は任意の形状の感光体１００に適用可能である。
【００８２】
さらに、テコ部３，１３，２３，３３は１本でも良く、２本以上形成しても良い。例えば、テコ部３，１３，２３，３３を１本だけ形成した場合には、そのテコ部３，１３，２３，３３に対抗して基部２，１２，２２，３２を感光体１００に対して固定する支柱を形成するなどして、感光体１００の中空部１０６Ｘ，１０６Ｘ′に挿入した支持部９，１９，２９，３９が拡径し、感光体１００を支持できるようにすればよい。
また、上記実施形態では各テコ部３，１３，２３，３３は同形状としたが、テコ部３，１３，２３，３３はそれぞれ異なる形状に形成しても良い。
【００８３】
さらに、治具１，１１，２１，３１は樹脂を一体成型したものでなくてもよく、その素材や形成方法は任意である。さらに、感光体１００の素材や形成方法も任意である。
また、治具１，１１，２１，３１は感光体１００を横置き又は縦置きする場合のみでなく、感光体１００をどのような状態で運搬や保存する場合であっても使用することができる。
【００８４】
さらに、第１実施形態では治具１，１１を感光体１００に遊びを持つように装着したが、すきまばめや中間ばめで装着するようにしてもよい。すきまばめや中間ばめをした場合、治具１，１１を取り外すときには、把持部７，１７を径方向内側から拡径するよう押圧することにより、支持部９，１９を縮径させ、簡単に取り外すことができる。さらに、治具１，１１を感光体１００に圧入させるようにしてもよい。例えば、感光体１００を縦置きする場合には、治具１，１１を感光体１００に軽圧入させるようにしても構わない。
【００８５】
また、第２実施形態では治具２１，３１を、支柱部２８，３８が径方向内側に傾斜することで弾性変形して感光体１００の外周に圧接するように形成したが、支柱部２８，３８が感光体１００の端部に対してどのように外嵌するかは任意であり、例えば支柱部２８，３８の内径を軸受部１０６，１０６′より小さく形成し、軸受部１０６，１０６′が支柱部２８，３８に圧入するようにしてもよい。
また、支持部９，１９，２９，３９はてこの原理によって拡径や縮径をするものに限定されず、他の原理により拡径するように構成しても良い。
【産業上の利用可能性】
【００８６】
本発明は、電機写真感光体を必要とする任意の分野で実施することができ、例えば複写機、プリンター、印刷機などに用いて好適である。
【図面の簡単な説明】
【００８７】
【図１】本発明の第１実施形態としての治具を示す図であり、（ａ）は治具を軸を含む平面で切った断面図、（ｂ）は治具の平面図である。
【図２】本発明の第１実施形態としての治具について、その把持部を把持した状態を示す、治具を軸を含む平面で切った断面図である。
【図３】本発明の第１実施形態としての治具を、軸を含む平面で切った断面図である。
【図４】本発明の第１実施形態としての治具を装着した状態の感光体を示すもので、（ａ）はその正面図であり、（ｂ）は軸方向から見た場合の感光体の外周面と基部の外周面との位置関係を示す図である。
【図５】本発明の第１及び第２実施形態としての治具及びカバーシートを装着した状態の感光体を表す正面図である。
【図６】本発明の第１及び第２実施形態としての治具を装着した感光体を、容器内に縦置きで収納する場合を説明する図である。
【図７】本発明の第１及び第２実施形態に用いる感光体を軸を含む平面で切った断面図である。
【図８】本発明の第２実施形態としての治具について、その把持部を把持した状態を示す図であり、（ａ）は治具を軸を含む平面で切った断面図、（ｂ）は治具の平面図である。
【図９】本発明の第２実施形態としての治具を、軸を含む平面で切った断面図である。
【図１０】本発明の第２実施形態としての治具を、軸を含む平面で切った断面図である。
【図１１】本発明の第２実施形態としての治具を装着した状態の感光体を示すもので、（ａ）はその正面図であり、（ｂ）は軸方向から見た場合の感光体の外周面と基部の外周面との位置関係を示す図である。
【符号の説明】
【００８８】
１，２１  第１治具
２，１２，２２，３２  基部
３，１３，２３，３３  テコ部
４，１４，２４，３４  蓋部
４Ａ，１４Ａ，２４Ａ，３４Ａ  蓋部の内縁部
４Ｂ，１４Ｂ，２４Ｂ，３４Ｂ  蓋部の外縁部
４Ｈ，１４Ｈ，２４Ｈ，３４Ｈ  蓋部の孔
５，１５，２５，３５  外周壁部
５Ｐ，１５Ｐ，２５Ｐ，３５Ｐ，１００Ｐ  外周面
６，１６，２６，３６  扇形部
６Ａ，１６Ａ，２６Ａ，３６Ａ  扇形部の内縁部
６Ｂ，１６Ｂ，２６Ｂ，３６Ｂ  扇形部の外縁部
７，１７，２７，３７  把持部
８，１８，２８，３８  支柱部
８Ａ，１８Ａ，２８Ａ，３８Ａ  支柱部の内端
９，１９，２９，３９  支持部
１１，３１  第２治具
１００  感光体
１０１  感光体ドラム
１０１Ｘ  感光体ドラムの中空部
１０２  フランジ
１０３  ギア
１０４，１０４′  内嵌部
１０５  フランジ部
１０６，１０６′  軸受部
１０６Ｘ，１０６Ｘ′  軸受部の中空部
１０７  ギア部
２０１  カバーシート
２０２  枠
２０３  容器
【図１】
2006154497.tif 000003
【図２】
2006154497.tif 000004
【図３】
2006154497.tif 000005
【図４】
2006154497.tif 000006
【図５】
2006154497.tif 000007
【図６】
2006154497.tif 000008
【図７】
2006154497.tif 000009
【図８】
2006154497.tif 000010
【図９】
2006154497.tif 000011
【図１０】
2006154497.tif 000012
【図１１】
2006154497.tif 000013